(57)【特許請求の範囲】
【請求項１】
他の無線装置から出力された送信信号を受信する入出力ポートと、
前記入出力ポートを介して受信された前記他の無線装置からの送信信号と自無線装置の送信信号とを合成してアンテナを介して出力する合成回路と、
前記アンテナを介して受信された受信信号に含まれる自無線装置の受信信号と前記他の無線装置の受信信号とを分岐させ、該分岐された前記他の無線装置の受信信号を、前記入出力ポートを介して前記他の無線装置へ出力する分岐回路と、
前記入出力ポートを介して受信された前記他の無線装置からの送信信号を前記合成回路へ出力するとともに、前記分岐回路から出力された前記他の無線装置の受信信号を、前記入出力ポートを介して前記他の無線装置へ出力するサーキュレータ回路と、
を備えることを特徴とする無線装置。
【請求項２】
前記サーキュレータ回路から出力された前記他の無線装置からの送信信号を減衰させて前記合成回路へ出力する減衰回路
をさらに備えることを特徴とする請求項１に記載の無線装置。
【発明の詳細な説明】
【技術分野】
【０００１】
本発明は、無線装置に関する。
【背景技術】
【０００２】
近年、携帯電話機等の無線端末を用いた無線通信では、電波の変復調やアンテナから電波を送受信する機能などを搭載した無線装置である光張り出し装置（ＲＥ：Radio  Equipment）が使用されている。光張り出し装置では、同一周波数帯域を使用する他のサービスで運用しているアンテナをお互いに利用し合い、アンテナのコストを低減することが知られている。同一周波数帯域を使用するサービスとは、例えば、ｃｄｍａ（code  division  multiple  access）２０００及びＬＴＥ（Long  Term  Evolution）を併用したサービスと、ｃｄｍａ２０００単独のサービスが挙げられる。
【０００３】
図５は、従来技術の光張り出し装置の下り信号の一例を示す図である。また、図６は、従来技術の光張り出し装置の上り信号の一例を示す図である。図５，６では、ｃｄｍａ２０００及びＬＴＥの併用サービスを提供する光張り出し装置６００と、ｃｄｍａ２０００単独のサービスを提供する光張り出し装置７００とでアンテナ６７２を共用する例を説明する。なお、図５，６では、説明の簡略化のため、光張り出し装置６００，７００の内部構成を適宜省略して説明を行う。
【０００４】
図５に示すように、光張り出し装置６００と光張り出し装置７００でアンテナ６７２を共用するためには、特殊フィルタ８００（例えばＣＩＢ：Constant  Impedance  Band-pass  Filter)が用いられる。特殊フィルタ８００は、ＨＹＢ（HYBrid）８１０，８１６、ＢＰＦ（Band  Pass  Filter）８１２，８１４、及びｃｄｍａＤＵＰ（Duplexer：送受切り替え器）８１８を備える。
【０００５】
ここで、特殊フィルタ８００と一般的なフィルタの周波数分離のフィルタ波形について説明する。図７は、特殊フィルタの周波数分離のフィルタ波形の一例を示す図である。図８は、一般的なフィルタのフィルタ波形の一例を示す図である。
【０００６】
図７に示すように、ＬＴＥ帯域３２０及びｃｄｍａ２０００帯域３３０は、ｃｄｍａ２０００及びＬＴＥを併用するサービスで使用される。また、ｃｄｍａ２０００帯域３４０は、ｃｄｍａ２０００単独のサービスで使用される。図７に示すように、ＬＴＥ帯域３２０、ｃｄｍａ２０００帯域３３０、およびｃｄｍａ２０００帯域３４０は、同一周波数帯域内に存在する。そこで、特殊フィルタ８００は、ｃｄｍａ２０００帯域３４０を他の帯域と識別できるように、フィルタ波形３５０に示すような急峻なフィルタリング性能を有する。特殊フィルタ８００を用いることにより、ｃｄｍａ２０００帯域３４０のみを通過させることができる。これに対して、図８に示すように、一般的なフィルタは、フィルタ波形３７０に示すような、なだらかなフィルタリング性能を有し、比較的広い周波数帯域３６０を通過させる。
【０００７】
図５の説明に戻る。図５に示すように、光張り出し装置６００は、ＡＮＴ−Ａポート６６２、ＬＮＡ−Ａポート６６４、ＡＮＴ−Ｂポート６６６、及びＬＮＡ−Ｂポート６６８を備える。光張り出し装置６００は、ｃｄｍａＢＢＵ（Base  Band  Unit）８５０及びＬＴＥＢＢＵ９００からベースバンド信号を受信する（図中の（１））。光張り出し装置６００は、受信したベースバンド信号に対して送信処理を行い（図中の（２））、送信処理された信号を、ＡＮＴ−Ｂポート６６６を介して特殊フィルタ８００へ出力する（図中の（３））。特殊フィルタ８００に入力された信号はＨＹＢ８１０で全反射し、アンテナ６７２から放射される（図中の（４））。
【０００８】
一方、光張り出し装置７００は、ＡＮＴ−Ａポート７６２、ＬＮＡ−Ａポート７６４、及びＡＮＴ−Ｂポート７６６を備える。光張り出し装置７００は、ｃｄｍａＢＢＵ９５０からベースバンド信号を受信する（図中の（１）´）。光張り出し装置７００は、受信したベースバンド信号に対して送信処理を行い（図中の（２）´）、送信処理された信号を、ＡＮＴ−Ａポート７６２を介して特殊フィルタ８００へ出力する（図中の（３）´）。特殊フィルタ８００に入力された信号は特殊フィルタ８００を通過してアンテナ６７２から放射される（図中の（４）´）。
【０００９】
次に、図６に示すように、アンテナ６７２から受信したベースバンド信号は、特殊フィルタ８００に入力され（図中の（１））、ＨＹＢ８１０で全反射されて特殊フィルタ８００から出力される（図中の（２））。ＨＹＢ８１０で全反射されたベースバンド信号はＡＮＴ−Ｂポート６６６を介して光張り出し装置６００へ入力されて、光張り出し装置６００内部でデジタル処理が行われる（図中の（３））。デジタル処理によってｃｄｍａ／ＬＴＥに分離された信号はｃｄｍａＢＢＵ８５０，ＬＴＥＢＢＵ９００それぞれへ送信される（図中の（４））。
【００１０】
一方、アンテナ６７２から受信したベースバンド信号は、特殊フィルタ８００に入力され（図中の（１））、ＨＹＢ８１０で全反射されて特殊フィルタ８００から出力される（図中の（２））。ＨＹＢ８１０で全反射されたベースバンド信号はＡＮＴ−Ｂポート６６６を介して光張り出し装置６００へ入力され、ＬＮＡ−Ｂポート６６８を介して光張り出し装置６００から特殊フィルタ８００へ出力される（図中の（３）´）。特殊フィルタ８００に入力されたベースバンド信号はｃｄｍａＤＵＰ８１８を介して、光張り出し装置７００のＡＮＴ−Ａポート７６２に入力される（図中の（４）´）。光張り出し装置７００は、入力されたベースバンド信号に対してデジタル処理を行って（図中の（５）´）、ｃｄｍａＢＢＵ９５０へ送信する（図中の（６）´）。
【００１１】
このように、従来技術は、急峻なフィルタリング性能を有する特殊フィルタ８００を使用することにより、光張り出し装置６００と光張り出し装置７００とでアンテナ６７２を共用することができる。
【先行技術文献】
【特許文献】
【００１２】
【特許文献１】特開平２−０２２９３１号公報
【発明の概要】
【発明が解決しようとする課題】
【００１３】
しかしながら、特殊フィルタは、急峻なフィルタリング性能を有するため、なだらなかフィルタリング特性を有する一般的なフィルタと比べてコストが高い。また、従来技術は、特殊フィルタを用いることによって複数の光張り出し装置間でアンテナを共用するため、全体的な構成が複雑になるとともに保守性に課題が残る。
【００１４】
開示の技術は、上記に鑑みてなされたものであって、簡易な構成で保守性に優れた無線装置を実現することを目的とする。
【課題を解決するための手段】
【００１５】
本願の開示する無線装置は、一つの態様において、自無線装置で使用する第１の周波数帯域に隣接する第２の周波数帯域を使用する他の無線装置によって送信処理が行われ、前記他の無線装置から出力された第１の送信信号を受信する入出力ポートを備える。また、無線装置は、前記入出力ポートを介して受信された第１の送信信号、及び自無線装置によって送信処理が行われた第２の送信信号を合成してアンテナを介して出力する合成回路を備える。また、無線装置は、前記アンテナを介して受信された受信信号に含まれる前記第１の周波数帯域の受信信号と前記第２の周波数帯域の受信信号とを分岐させ、該分岐された第２の周波数帯域の受信信号を、前記入出力ポートを介して前記他の無線装置へ出力する分岐回路を備える。
【発明の効果】
【００１６】
本願の開示する無線装置の一つの態様によれば、簡易な構成で保守性に優れた無線装置を実現することができる。
【図面の簡単な説明】
【００１７】
【図１】図１は、本実施形態の光張り出し装置の構成を示す図である。
【図２】図２は、同一周波数帯でのシステム共用周波数の配置例を示す図である。
【図３】図３は、本実施形態の光張り出し装置の下り信号の一例を示す図である。
【図４】図４は、本実施形態の光張り出し装置の上り信号の一例を示す図である。
【図５】図５は、従来技術の光張り出し装置の下り信号の一例を示す図である。
【図６】図６は、従来技術の光張り出し装置の上り信号の一例を示す図である。
【図７】図７は、特殊フィルタの周波数分離のフィルタ波形の一例を示す図である。
【図８】図８は、一般的なフィルタのフィルタ波形の一例を示す図である。
【発明を実施するための形態】
【００１８】
以下に、本願の開示する無線装置の実施形態を図面に基づいて詳細に説明する。なお、この実施形態により開示技術が限定されるものではない。例えば、以下の実施形態では、無線装置の一例として光張り出し装置を挙げて説明するが、これには限られない。
【００１９】
図１は、本実施形態の光張り出し装置の構成を示す図である。図２は、同一周波数帯でのシステム共用周波数の配置例を示す図である。図１に示すように、本実施形態では、ｃｄｍａ２０００及びＬＴＥの併用サービスを提供する光張り出し装置１００と、ｃｄｍａ２０００単独のサービスを提供する光張り出し装置２００とでアンテナ１７２を共用する。また、本実施形態は、図１に示すように、従来用いられていた特殊フィルタを使用することなく、光張り出し装置１００と光張り出し装置２００とでアンテナ１７２を共用する。
【００２０】
また、図２に示すように、ＬＴＥ帯域３２０、ｃｄｍａ帯域３３０、及びｃｄｍａ帯域３４０は、隣接して配置され、同一周波数帯域に存在する。ＬＴＥ帯域３２０及びｃｄｍａ帯域３３０は、光張り出し装置１００によってサービスが提供される周波数帯域である。また、ｃｄｍａ帯域３４０は、光張り出し装置２００によってサービスが提供される周波数帯域である。
【００２１】
図１の説明に戻る。図１に示すように、光張り出し装置１００は、ＤＰＤ（Digital  Pre  Distortion）１１０、Ｄ／Ａ（Digital  to  Analog  convertor）１１２、ＱＭＯＤ（Quadrature  Modulator）１１４、ＰＡ（Power  Amplifier）１１６を備える。また、光張り出し装置１００は、ＤＵＰ（Duplexer）１１８、Ａ／Ｄ（Analog  to  Digital  convertor）１２０、ミキサ１２２、ＢＰＦ（Band  Pass  Filter）１２４、ＨＹＢ（Hybrid）１２６、及びＬＮＡ（Low  Noise  Amplifier）１２８を備える。
【００２２】
また、光張り出し装置１００は、Ｄ／Ａ１３２、ＱＭＯＤ１３４、ＨＹＢ１３６、ＰＡ１３８、ＤＵＰ１４０、Ａ／Ｄ１４２、ミキサ１４４、ＢＰＦ１４６、ＨＹＢ１４８、ＬＮＡ１５０、ＣＩＲ（Circulator）１５２、及びＡＴＴ（Attenuator）１５４を備える。
【００２３】
また、光張り出し装置１００は、ＡＮＴ−Ａポート１６２、ＬＮＡ−Ａポート１６４、ＡＮＴ−Ｂポート１６６、及びＬＮＡ−Ｂポート１６８を備える。ＡＮＴ−Ａポート１６２、ＡＮＴ−Ｂポート１６６、及びＬＮＡ−Ｂポート１６８は入出力用のポートであり、ＬＮＡ−Ａポート１６４は出力用のポートである。このように、光張り出し装置１００は、従来出力用のポートであったＬＮＡ−Ｂポートを入出力用のポートとしている。
【００２４】
ＤＰＤ１１０は、ｃｄｍａＢＢＵ（Base  Band  Unit：ｃｄｍａ無線基地局）３００及びＬＴＥＢＢＵ４００との間で送受信される信号の非線形ひずみを補償する。Ｄ／Ａ１１２は、ＤＰＤ１１０から出力されたデジタル信号をアナログ信号へ変換する。ＱＭＯＤ１１４は、Ｄ／Ａ１１２によって変換されたアナログ信号に対して直交変換を行う。ＰＡ１１６は、ＱＭＯＤ１１４で直交変調された信号を増幅する。ＤＵＰ１１８は、ＰＡ１１６によって増幅された信号を、ＡＮＴ−Ａポート１６２を介してアンテナ１７０から出力するとともに、アンテナ１７０からＡＮＴ−Ａポート１６２を介して入力された信号をＬＮＡ１２８へ出力する。
【００２５】
ＬＮＡ１２８は、ＤＵＰ１１８から出力された信号を増幅する。ＢＰＦ１２４は、ＬＮＡ１２８から出力された信号に含まれるＬＴＥ帯域３２０及びｃｄｍａ帯域３３０のみを通過させるフィルタである。ＨＹＢ１２６は、ＬＮＡ１２８から出力された信号に含まれるＬＴＥ帯域３２０及びｃｄｍａ帯域３３０の信号を、ＢＰＦ１２４を介してミキサ１２２へ出力する。また、ＨＹＢ１２６は、ＬＮＡ１２８から出力された信号に含まれるｃｄｍａ帯域３４０の信号を、ＬＮＡ−Ａポート１６４を介して光張り出し装置２００へ出力する。ミキサ１２２は、ＢＰＦ１２４から出力された信号の周波数変換を行う。Ａ／Ｄ１２０は、ミキサ１２２から出力されたアナログ信号をデジタル信号へ変換して、ＤＰＤ１１０へ出力する。
【００２６】
Ｄ／Ａ１３２は、ＤＰＤ１１０から出力されたデジタル信号をアナログ信号へ変換する。ＱＭＯＤ１３４は、Ｄ／Ａ１３２によって変換されたアナログ信号に対して直交変換を行う。ＨＹＢ１３６は、ＱＭＯＤ１３４から出力された信号と、光張り出し装置２００から出力され、ＣＩＲ１５２、ＡＴＴ１５４を介して入力された信号とを合成してＰＡ１３８へ出力する合成回路である。ＰＡ１３８は、ＨＹＢ１３６から出力された、光張り出し装置１００の出力信号と光張り出し装置２００の出力信号とを含む信号を増幅する。ＤＵＰ１４０は、ＰＡ１３８によって増幅された信号を、ＡＮＴ−Ｂポート１６６を介してアンテナ１７２から出力するとともに、アンテナ１７２からＡＮＴ−Ｂポート１６６を介して入力された信号をＬＮＡ１５０へ出力する。
【００２７】
ＬＮＡ１５０は、ＤＵＰ１４０から出力された信号を増幅する。ＢＰＦ１４６は、ＬＮＡ１５０から出力された信号に含まれるＬＴＥ帯域３２０及びｃｄｍａ帯域３３０のみを通過させるフィルタである。ＨＹＢ１４８は、ＬＮＡ１５０から出力された信号に含まれるＬＴＥ帯域３２０及びｃｄｍａ帯域３３０の信号を、ＢＰＦ１４６を介してミキサ１４４へ出力する。また、ＨＹＢ１４８は、ＬＮＡ１５０から出力された信号に含まれるｃｄｍａ帯域３４０の信号を、ＣＩＲ１５２へ出力する。ミキサ１４４は、ＢＰＦ１４６から出力された信号の周波数変換を行う。Ａ／Ｄ１４２は、ミキサ１４４から出力されたアナログ信号をデジタル信号へ変換する。
【００２８】
ＣＩＲ１５２は、ＨＹＢ１４８から出力された信号をＬＮＡ−Ｂポート１６８を介して光張り出し装置２００へ出力するとともに、光張り出し装置２００からＬＮＡ−Ｂポート１６８を介して入力された信号をＡＴＴ１５４へ出力する。ＡＴＴ１５４は、ＣＩＲ１５２から出力された信号を減衰させて、ＨＹＢ１３６へ出力する。つまり、ＨＹＢ１４８は、ＬＮＡ１５０から出力された信号に含まれるＬＴＥ帯域３２０及びｃｄｍａ帯域３３０の信号と、ＬＮＡ１５０から出力された信号に含まれるｃｄｍａ帯域３４０の信号とを分岐させ、分岐されたｃｄｍａ帯域３４０の信号を、ＬＮＡ−Ｂポート１６８を介して光張り出し装置２００へ出力する分岐回路である。
【００２９】
次に、光張り出し装置２００の説明を行う。光張り出し装置２００は、ＤＰＤ２１０、Ｄ／Ａ２１２、ＱＭＯＤ２１４、ＰＡ２１６、ＤＵＰ２１８、Ａ／Ｄ２２０、ミキサ２２２、ＢＰＦ２２４、ＨＹＢ２２６、及びＬＮＡ２２８を備える。また、光張り出し装置２００は、Ａ／Ｄ２３２、ミキサ２３４、ＢＰＦ２３６、ＬＮＡ２３８、及びＢＰＦ２４０を備える。
【００３０】
また、光張り出し装置２００は、ＡＮＴ−Ａポート２６２、ＬＮＡ−Ａポート２６４、及びＡＮＴ−Ｂポート２６６を備える。ＡＮＴ−Ａポート２６２は入出力用のポートであり、ＬＮＡ−Ａポート２６４は出力用のポートであり、ＡＮＴ−Ｂポート２６６は入力用のポートである。このように、光張り出し装置２００は、１Ｔ／２Ｒ（１アンテナ送信かつ２アンテナ受信）の構成となっている。
【００３１】
ＤＰＤ２１０は、ｃｄｍａＢＢＵ５００との間で送受信される信号の非線形ひずみを補償する。ＤＰＤ２１０は、ＡＴＴ２３０を有する。ＡＴＴ２３０は、ＤＰＤ２１０から出力される信号を減衰させる。Ｄ／Ａ２１２は、ＤＰＤ２１０から出力されたデジタル信号をアナログ信号へ変換する。ＱＭＯＤ２１４は、Ｄ／Ａ２１２によって変換されたアナログ信号に対して直交変換を行う。ＰＡ２１６は、ＱＭＯＤ２１４で直交変調された信号を増幅する。ＤＵＰ２１８は、ＰＡ２１６によって増幅された信号を、ＡＮＴ−Ａポート２６２を介して光張り出し装置１００へ出力するとともに、光張り出し装置１００からＡＮＴ−Ａポート２６２を介して入力された信号をＬＮＡ２２８へ出力する。
【００３２】
ＬＮＡ２２８は、ＤＵＰ２１８から出力された信号を増幅する。ＢＰＦ２２４は、ＬＮＡ２２８から出力された信号に含まれるｃｄｍａ帯域３３０のみを通過させるフィルタである。ＨＹＢ２２６は、ＬＮＡ２２８から出力された信号に含まれるｃｄｍａ帯域３３０の信号を、ＢＰＦ２２４を介してミキサ２２２へ出力する。また、ＨＹＢ２２６は、ＬＮＡ２２８から出力された信号に含まれるＬＴＥ帯域３２０及びｃｄｍａ帯域３３０の信号を、ＬＮＡ−Ａポート２６４を介して出力する。ミキサ２２２は、ＢＰＦ２２４から出力された信号の周波数変換を行う。Ａ／Ｄ２２０は、ミキサ２２２から出力されたアナログ信号をデジタル信号へ変換して、ＤＰＤ２１０へ出力する。
【００３３】
ＢＰＦ２４０は、光張り出し装置１００から出力された信号を、ＡＮＴ−Ｂ２６６を介して受信する。ＢＰＦ２３６，２４０は、光張り出し装置１００から出力された信号に含まれるｃｄｍａ帯域３３０のみを通過させるフィルタである。ＬＮＡ２３８は、ＢＰＦ２４０から出力された信号を増幅して、ＢＰＦ２３６を介してミキサ２３４へ出力する。ミキサ２３４は、ＢＰＦ２３６から出力された信号の周波数変換を行う。Ａ／Ｄ２３２は、ミキサ２３４から出力されたアナログ信号をデジタル信号へ変換して、ＤＰＤ２１０へ出力する。
【００３４】
次に、光張り出し装置１００，２００の下り信号の一例を説明する。ここでは、アンテナ１７２を共用して下り信号を送信する光張り出し装置１００，２００の処理について説明する。図３は、本実施形態の光張り出し装置の下り信号の一例を示す図である。図３に示すように、まず、光張り出し装置１００は、ｃｄｍａＢＢＵ３００及びＬＴＥＢＢＵ４００からベースバンド信号を受信する（図中の（１））。光張り出し装置１００は、受信したベースバンド信号に対して、ＤＰＤ１１０、Ｄ／Ａ１３２、ＱＭＯＤ１３４を用いて非線形ひずみ補償、デジタル−アナログ変換、直交変換等の送信処理を行い、ＨＹＢ１３６へ出力する（図中の（２））。
【００３５】
一方、光張り出し装置２００は、ｃｄｍａＢＢＵ５００からベースバンド信号を受信する（図中の（１）´）。光張り出し装置２００は、受信したベースバンド信号に対して、ＤＰＤ２１０、ＡＴＴ２３０、Ｄ／Ａ２１２、ＱＭＯＤ２１４、ＰＡ２１６、及びＤＵＰ２１８を用いて、非線形ひずみ補償、減衰、デジタル−アナログ変換、直交変換、増幅等の送信処理を行う（図中の（２）´）。光張り出し装置２００は、送信処理が行われた信号を、ＡＮＴ−Ａポート２６２から出力し、光張り出し装置１００のＬＮＡ−Ｂポート１６８を介してＣＩＲ１５２へ出力する（図中の（３）´）。
【００３６】
ＣＩＲ１５２は、ＬＮＡ−Ｂボート１６８を介して入力された信号をＡＴＴ１５４へ出力し、ＡＴＴ１５４はＣＩＲ１５２から出力された信号を減衰させてＨＹＢ１３６へ出力する（図中の（４）´）。
【００３７】
ＨＹＢ１３６は、ＱＭＯＤ１３４から出力されたＬＴＥ帯域３２０及びｃｄｍａ帯域３３０を含む信号と、ＡＴＴ１５４から出力されたｃｄｍａ帯域３４０を含む信号とを合成し、ＰＡ１３８、ＤＵＰ１４０、及びＡＮＴ−Ｂポート１６６を介して出力する（図中の（３））。ＡＮＴ−Ｂポート１６６から出力された信号は、アンテナ１７２を介して放射される（図中の（４））。
【００３８】
次に、光張り出し装置１００，２００の上り信号の一例を説明する。ここでは、アンテナ１７２を共用して上り信号を受信する光張り出し装置１００，２００の処理について説明する。図４は、本実施形態の光張り出し装置の上り信号の一例を示す図である。まず、アンテナ１７２を介して受信された信号は、ＡＮＴ−Ｂポート１６６を介して光張り出し装置１００へ入力される（図中の（１））。
【００３９】
光張り出し装置１００は、入力された信号の、ＬＴＥ帯域３２０及びｃｄｍａ帯域３３０を含む信号に対して、ＤＵＰ１４０、ＬＮＡ１５０、ＨＹＢ１４８、ＢＰＦ１４６、ミキサ１４４、Ａ／Ｄ１４２、及びＤＰＤ１１０を用いて受信処理を行う（図中の（２））。すなわち、光張り出し装置１００は、ＬＮＡ１５０を用いて受信された信号を増幅するとともに、ＨＹＢ１４８及びＢＰＦ１４６を用いてＬＴＥ帯域３２０及びｃｄｍａ帯域３３０を含む信号をミキサ１４４へ出力する。また、光張り出し装置１００は、ＢＰＦ１４６から出力された信号に対して、ミキサ１４４を用いて周波数変換を行い、Ａ／Ｄ１４２を用いてアナログ−デジタル変換を行う。そして光張り出し装置１００は、ＤＰＤ１１０を用いて、Ａ／Ｄ１４２から出力された信号のうち、ｃｄｍａ帯域３３０を含む信号をｃｄｍａＢＢＵ３００へ出力するとともに、ＬＴＥ帯域３２０を含む信号をＬＴＥＢＢＵ４００へ出力する（図中の（３））。
【００４０】
一方、光張り出し装置１００は、ＡＮＴ−Ｂポート１６６を介して入力された信号のうち、ｃｄｍａ帯域３４０を含む信号については、ＨＹＢ１４８から分岐させて、ＣＩＲ１５２を介してＬＮＡ−Ｂポート１６８へ出力する（図中の（４））。ＬＮＡ−Ｂポート１６８から出力された信号は、光張り出し装置２００のＡＮＴ−Ａポート２６２へ入力される（図中の（５））。
【００４１】
光張り出し装置２００は、入力された信号に対して、ＤＵＰ２１８、ＬＮＡ２２８、ＨＹＢ２２６、ＢＰＦ２２４、ミキサ２２２、Ａ／Ｄ２２０、及びＤＰＤ２１０を用いて受信処理を行う（図中の（６））。すなわち、光張り出し装置２００は、ＬＮＡ２２８を用いて受信された信号を増幅するとともに、ＨＹＢ２２６及びＢＰＦ２２４を用いてｃｄｍａ帯域３４０を含む信号をミキサ２２２へ出力する。また、光張り出し装置２００は、ＢＰＦ２２４から出力された信号に対して、ミキサ２２２を用いて周波数変換を行い、Ａ／Ｄ２２０を用いて、アナログ−デジタル変換を行う。そして、光張り出し装置２００は、ＤＰＤ２１０を用いて、Ａ／Ｄ２２０から出力された信号を、ｃｄｍａＢＢＵ５００へ出力する（図中の（７））。
【００４２】
本実施形態によれば、簡易な構成で保守性に優れた光張り出し装置を実現することができる。すなわち、従来は隣接した周波数帯域（同一周波数帯域）を使用するサービスを提供する複数の光張り出し装置でアンテナを共用する場合、急峻なフィルタ特性を有する特殊フィルタを用いていた。しかしながら、特殊フィルタは、急峻なフィルタ特性を有するため、コストが高く（例えば、数万円増加）、かつ、特殊フィルタの設置エリアが例えば８〜１０リットル増加するとともにケーブル接続が複雑になるなど保守性の面でも課題があった。
【００４３】
これに対して、本実施形態の光張り出し装置１００は、隣接する周波数帯域を使用する光張り出し装置２００によって送信処理が行われ、光張り出し装置２００から出力された送信信号を受信するＬＮＡ−Ｂポート１６８を備える。また、光張り出し装置１００は、ＬＮＡ−Ｂポート１６８を介して受信された送信信号と、光張り出し装置１００によって送信処理が行われた送信信号とを合成してアンテナ１７２を介して出力するＨＹＢ１３６を備える。また、光張り出し装置１００は、アンテナ１７２を介して受信された受信信号に含まれる隣接周波数帯域の受信信号を分岐させ、分岐された隣接周波数帯域の受信信号を、ＬＮＡ−Ｂポート１６８を介して光張り出し装置２００へ出力するＨＹＢ１４８を備える。したがって、本実施形態によれば、従来用いられていた特殊フィルタを使用することなく、光張り出し装置１００と光張り出し装置２００とでアンテナ１７２を共用することができる。その結果、本実施形態によれば、特殊フィルタが不要であるので、コスト増加を抑制することができるとともに、設置エリアの削減、接続ケーブルの削減を図ることができ、簡易な構成で保守性に優れた光張り出し装置を実現することができる。
【００４４】
また、本実施形態の光張り出し装置１００は、ＬＮＡ−Ｂポート１６８を介して受信された送信信号をＨＹＢ１３６へ出力するとともに、ＨＹＢ１４８から出力された受信信号を、ＬＮＡ−Ｂポート１６８を介して光張り出し装置２００へ出力するＣＩＲ１５２を備える。よって、本実施形態によれば、ＬＮＡ−Ｂポート１６８を介して、光張り出し装置２００から出力された送信信号をＨＹＢ１３６へ出力し、かつ、ＨＹＢ１４８から出力された受信信号を光張り出し装置２００へ出力することもできる。
【００４５】
また、本実施形態の光張り出し装置１００は、ＣＩＲ１５２から出力された送信信号を減衰させてＨＹＢ１３６へ出力するＡＴＴ１５４を備える。よって、本実施形態によれば、光張り出し装置２００から送信される送信信号を、光張り出し装置２００に搭載されているＡＴＴ２３０を用いて減衰するとともにＡＴＴ１５４を用いて減衰することができるので、送信信号の飽和／破壊を防止することができる。
【００４６】
このように、光張り出し装置１００は、内部にＡＴＴ１５４、ＣＩＲ１５２、及びＨＹＢ１３６など、小規模かつ安価な回路を追加し、さらに、従来のＬＮＡ−Ｂポート（出力のみ）を双方向のＬＮＡ−Ｂポート１６８（ＲＦ入出力ポート）に変更している。また、光張り出し装置２００に搭載されているＡＴＴ２３０も用いて、ＬＮＡ−Ｂポート１６８に入力される送信電力を減衰させる。これにより、従来用いられていた特殊フィルタを使用することなく、光張り出し装置１００と光張り出し装置２００でアンテナ１７２を共用することができる。
【符号の説明】
【００４７】
１００，２００  光張り出し装置
１３６，１４８  ＨＹＢ
１５２  ＣＩＲ
１５４  ＡＴＴ
１６８  ＬＮＡ−Ｂポート
１７２  アンテナ
【図１】
0005846019.tif 000002
【図２】
0005846019.tif 000003
【図３】
0005846019.tif 000004
【図４】
0005846019.tif 000005
【図５】
0005846019.tif 000006
【図６】
0005846019.tif 000007
【図７】
0005846019.tif 000008
【図８】
0005846019.tif 000009